(57)【特許請求の範囲】
【請求項１】
パイプ材をＶの字形に曲げ加工して成る上下一対のＶ形フレームと、当該Ｖ形フレームの両端部を互いに連結する前側左右一対の支柱と、Ｖ形フレームの湾曲ターン部を互いに連結する後側１本の支柱とを備え、当該３本の各支柱は、下側Ｖ形フレームより下方に突出して脚部を構成し、前側左右一対の支柱の下端脚部には、段積み時に下側パレットの前側左右一対の支柱の上端に嵌合する嵌合部が設けられ、上側Ｖ形フレームの湾曲ターン部は、後側１本の支柱の上端に載置固着され、段積み時には、上側Ｖ形フレームの湾曲ターン部上で上側パレットの後側一本の支柱の下端脚部が支持されるように構成した搬送用パレットにおいて、下側Ｖ形フレームの湾曲ターン部は後側一本の支柱の内側に固着され、前側左右一対の支柱間には、上面が下側Ｖ形フレームの上面と面一になるように支柱前側で左右横方向の前フレームが架設され、搬送用パレットを入れ子状にネスティングしたとき、上側パレットの後側１本の支柱の下端脚部が下側パレットの下側Ｖ形フレームの湾曲ターン部の上に載り且つ上側パレットの前側左右一対の支柱の下端脚部が前記前フレーム上に載るように構成され、上側パレットの前側左右一対の支柱の下端脚部の嵌合部と係合するずれ止め用突起が、前記前フレームの両端部上面に設けられている、搬送用パレット。
【請求項２】
前記上側Ｖ形フレームの湾曲ターン部上には、段積み時に上側パレットの後側一本の支柱の下端脚部と係合するずれ止め用部材が付設されている、請求項１に記載の搬送用パレット。
【請求項３】
前側左右一対の支柱の上端には上窄まり形のキャップが外嵌固着され、前側左右一対の支柱の下端脚部の嵌合部は、段積み時に下側パレットの前側左右一対の支柱の上端の前記キャップに外嵌する下広がり形のカップによって構成されている、請求項１または２に記載の搬送用パレット。
【発明の詳細な説明】
【０００１】
【発明の属する技術分野】
本発明は、フォークリフトなどで取り扱うことのできる搬送用パレットに関するものである。
【０００２】
【従来の技術及びその問題点】
この種の搬送用パレットで、荷台となる下側フレームと上側フレームとを支柱で連結した立体形のパレットが知られているが、従来のこの種の立体形のパレットでは、構成部品点数が多くて溶接長さが長くなり、このため重量物となるだけでなく製造コストが非常に高くつく欠点があった。
【０００３】
【課題を解決するための手段】
本発明は上記のような従来の問題点を解消し得る搬送用パレットを提供することを目的とするものであって、その手段を後述する実施形態の参照符号を付して示すと、パイプ材をＶの字形に曲げ加工して成る上下一対のＶ形フレーム２，３と、当該Ｖ形フレーム２，３の両端部を互いに連結する前側左右一対の支柱４Ａ，４Ｂと、Ｖ形フレーム２，３の湾曲ターン部２ａ，３ａを互いに連結する後側１本の支柱５とを備え、当該３本の各支柱４Ａ，４Ｂ，５は、下側Ｖ形フレーム３より下方に突出して脚部７ａ，７ｂ，８を構成し、前側左右一対の支柱４Ａ，４Ｂの下端脚部７ａ，７ｂには、段積み時に下側パレット１の前側左右一対の支柱４Ａ，４Ｂの上端に嵌合する嵌合部（カップ１０など）が設けられ、上側Ｖ形フレーム２の湾曲ターン部２ａは、後側１本の支柱５の上端に載置固着され、段積み時には、上側Ｖ形フレーム２の湾曲ターン部２ａ上で上側パレット１の後側一本の支柱５の下端脚部８が支持されるように構成した搬送用パレットにおいて、下側Ｖ形フレーム３の湾曲ターン部３ａは後側一本の支柱５の内側に固着され、前側左右一対の支柱４Ａ，４Ｂ間には、上面が下側Ｖ形フレーム３の上面と面一になるように支柱４Ａ，４Ｂの前側で左右横方向の前フレーム６が架設され、搬送用パレット１を入れ子状にネスティングしたとき、上側パレット１の後側１本の支柱５の下端脚部８が下側パレット１の下側Ｖ形フレーム３の湾曲ターン部３ａの上に載り且つ上側パレット１の前側左右一対の支柱４Ａ，４Ｂの下端脚部７ａ，７ｂが前記前フレーム６上に載るように構成され、上側パレット１の前側左右一対の支柱４Ａ，４Ｂの下端脚部７ａ，７ｂの嵌合部（カップ１０など）と係合するずれ止め用突起１２が、前記前フレーム６の両端部上面に設けられた構成となっている。
【０００４】
上記構成の本発明の搬送用パレットを実施するに際し、具体的には、前記上側Ｖ形フレーム２の湾曲ターン部２ａ上に、上側パレット１の後側一本の支柱５の下端脚部８と係合するずれ止め用部材１１を付設することができる。
【０００６】
また、前側左右一対の支柱４Ａ，４Ｂの上端には上窄まり形のキャップ９を外嵌固着し、前側左右一対の支柱４Ａ，４Ｂの下端脚部７ａ，７ｂの嵌合部は、段積み時に下側パレット１の前側左右一対の支柱４Ａ，４Ｂの上端の前記キャップ９に外嵌する上窄まり形のカップ１０によって構成することができる。
【０００７】
【発明の実施の形態】
以下に本発明の好適実施形態を添付図に基づいて説明すると、図１〜図５に示すように、この実施形態の搬送用パレット１は、それぞれ角パイプ材をＶの字形に曲げ加工して構成した上下一対のＶ形フレーム２，３と、当該Ｖ形フレーム２，３の同一側にある端部どうしを互いに連結する前側左右一対の支柱４Ａ，４Ｂと、Ｖ形フレーム２，３の湾曲ターン部２ａ，３ａを互いに連結する後側１本の支柱５、及び前側左右一対の支柱４Ａ，４Ｂ間で、上面が下側Ｖ形フレーム３の上面と面一になるように支柱前面に固着して架設された左右横方向の前フレーム６を備えたもので、当該３本の各支柱４Ａ〜５は、下側Ｖ形フレーム３より下方に突出して脚部７ａ，７ｂ，８を構成している。
【０００８】
下側Ｖ形フレーム３の湾曲ターン部３ａは、後側１本の支柱５の前面に固着されているが、上側Ｖ形フレーム２は下側Ｖ形フレーム３よりも若干前後方向長さが長くて、その湾曲ターン部２ａは後側１本の支柱５の上端に載った状態で固着されている。なお、各支柱４Ａ〜５及び前フレーム６も角パイプ材を利用したものであるが、後側１本の支柱５には、特に横巾が縦巾の約２倍の長方形断面の角パイプ材を使用している。
【０００９】
さらに詳細に説明すると、前側左右一対の支柱４Ａ，４Ｂの上端には、図７に示すように、上窄まり形（図示のものは、裁頭角錐形）の金属板製のキャップ９が外嵌固着され、当該各支柱４Ａ，４Ｂの下端脚部７ａ，７ｂには、段積み時に下側パレット１の前側左右一対の支柱４Ａ，４Ｂの上端キャップ９に外嵌する下広がり形（図示のものは、裁頭角錐形）の金属板製のカップ１０が固着されている。また、上側Ｖ形フレーム２の湾曲ターン部２ａの上面には、図２及び図７に示すように、ずれ止め用部材１１（例えば、棒鋼を前方が開放するコの字形に曲げ加工したもの）が付設され、段積み時に上側パレット１の後側１本の支柱５の下端脚部８がずれ止め用部材１１と係合する（コの字形の内側に下端脚部８が嵌合する）ように構成している。
【００１０】
また、前フレーム６の両端部上面には、図６及び図８に示すように、前側左右一対の支柱４Ａ，４Ｂの前側位置でずれ止め用突起１２が付設されている。このずれ止め用突起１２は、上側パレット１の後側１本の支柱５の下端脚部８が下側パレット１の下側Ｖ形フレーム３の湾曲ターン部３ａの上に載り且つ上側パレット１の前側左右一対の支柱４Ａ，４Ｂの下端脚部７ａ，７ｂのカップ１０が前フレーム６の両端部に載るように搬送用パレット１を入れ子状にネスティングしたとき、当該両支柱４Ａ，４Ｂの下端脚部７ａ，７ｂのカップ１０の内側に入り込んで係合し、当該カップ１０が前フレーム６上で横滑りするのを防止する。
【００１１】
なお、上記実施形態では、図１では図示省略しているが、後側１本の支柱５の下端脚部８には、図３及び図５に示すように、支柱下端開口を閉じるとともに下側Ｖ形フレーム３の湾曲ターン部３ａの下側を支持するＵ字形補強板１３が外嵌固着されている。このＵ字形板１３の左右両側板部は、当該支柱５の下側Ｖ形フレーム３より上方適当高さまでの部分に重なる長さを有する。また、図１では図示省略しているが、図３、図６、及び図８に示すように、前側左右一対の支柱４Ａ，４Ｂの下端脚部７ａ，７ｂの前側には、前フレーム６を支持する補強板１４が付設されている。
【００１２】
以上のように構成された搬送用パレット１の使用方法の一例を説明すると、図１に仮想線で示すように、前側左右一対の支柱４Ａ，４Ｂと後側１本の支柱１との間で下側Ｖ形フレーム３上に荷支持板１５を載置し、この荷支持板１５上に荷を載置するかまたは、荷によっては下側Ｖ形フレーム３上に直接荷を載置し、この荷を載置した搬送用パレット１を、フォークリフトのフォークを前フォーク６側から下側Ｖ形フレーム３の下側に差し入れて持ち上げ、搬送することができる。
【００１３】
しかして、上記のように荷を載置した搬送用パレット１または、荷を載置していない搬送用パレット１は、図３に仮想線で示すように段積みすることができる。この場合、図３の仮想線及び図７に示すように、下側パレット１の前側左右一対の支柱４Ａ，４Ｂの上端キャップ９に上側パレット１の前側左右一対の支柱４Ａ，４Ｂの下端脚部７ａ，７ｂのカップ１０を外嵌させるとともに、下側パレット１の上側Ｖ形フレーム２の湾曲ターン部２ａ上に上側パレット１の後側１本の支柱５の下端脚部８を、当該下端脚部８がコの字形のずれ止め用部材１１の内側に嵌合するように載置させることにより、下側パレット１に対し上側パレット１が完全に位置決めされ、安全に段積みできる。
【００１４】
また、荷搬送用に使用していない搬送用パレット１を格納するときや、まとめて搬送するような場合には、搬送用パレット１を入れ子状にネスティングすることができる。即ち、図２、図４、図５及び図８にそれぞれ仮想線で示すように、下側パレット１の前側左右一対の支柱４Ａ，４Ｂの前側に上側パレット１の前側左右一対の支柱４Ａ，４Ｂが重なるとともに、下側パレット１の後側１本の支柱５の前側に上側パレット１の後側１本の支柱５が重なるように、下側パレット１内に上側パレット１を入れ込み、上側パレット１の後側１本の支柱５の下端脚部８を下側パレット１の下側Ｖ形フレーム３の湾曲ターン部３ａ上に載置するとともに、上側パレット１の前側左右一対の支柱４Ａ，４Ｂの下端脚部７ａ，７ｂのカップ１０を下側パレット１の前フレーム６の両端部上面に、ずれ止め用突起がカップ１０の内側に入り込むように載置すれば良い。この結果、上側パレット１が下側パレット１に対し前方へ滑り落ちる、即ち、上側パレット１のカップ１０が下側パレット１の前フレーム６から前方へ滑り落ちるのを、前記ずれ止め用突起１２により防止できる状態にネスティングすることができる。
【００１５】
【発明の効果】
以上のように実施し得る本発明の搬送用パレットは、パイプ材をＶの字形に曲げ加工して成る２つのＶ形フレームと３本の支柱とで構成できるものであるから、部品点数が少なく、部品どうしの結合箇所が少ない、換言すれば溶接長さが短くて済むので、パレット全体の軽量化と大幅なコストダウンを図ることができる。
【００１６】
また、安全に段積みできる搬送用パレットとして活用することができるのであるが、３本の支柱の下端脚部全てに下側パレットの３本の支柱の上端に嵌合する嵌合部を形成する場合と比較して構造が簡単になり、コストダウンを図ることができる。更に、パレットどうしを入れ子状にネスティングすることができるのであるが、このネスティングに際して、上側パレットが下側パレットから前方にずれ落ちるのを、上側パレットの前側左右一対の支柱の下端脚部の嵌合部と下側パレットの前フレーム上のずれ止め用突起との係合により、確実に防止することができ、ネスティング作業そのものを安全に行えるとともに、ネスティング状態を安全に維持させ得る。
【００１７】
尚、請求項２に記載の構成によれば、フォークリフトで段積みするとき、前側左右一対の支柱の下端脚部の嵌合部を下側パレットの前側左右一対の支柱の上端に嵌合させる直前に、下側パレットの上側Ｖ形フレームの湾曲ターン部上のずれ止め用部材を利用して、後側１本の支柱の下端脚部を下側パレットの上側Ｖ形フレームの湾曲ターン部上の所定位置に正確に載置することができ、より安全に段積みすることができる。
【００１８】
また、請求項３に記載の構成によれば、パイプ材を利用して構成した支柱の上端開口を平板状カバーの溶接により閉塞する場合と比較して、支柱上端に外嵌するキャップであるから、溶接が簡単になって溶接コストを低減し得るだけでなく、パイプの段積み時に上窄まり形のキャップに下広がり形のカップを被せることになるので、両者を嵌合深さを深くしながら、カップを小型に構成することができ、材料コストの低減にも役立つ。
【図面の簡単な説明】
【図１】搬送用パレット全体を示す斜視図である。
【図２】搬送用パレットの上端面を示す平面図である。
【図３】搬送用パレット全体を示す正面図である。
【図４】下側Ｖ形フレームと各支柱とを示す横断平面図である。
【図５】搬送用パレット全体を示す側面図である。
【図６】図４のＡ部の拡大図である。
【図７】図５のＢ部及びＣ部を示す一部縦断拡大図である。
【図８】図５のＤ部及びＥ部を示す一部縦断拡大図である。
【符号の説明】
１      搬送用パレット
２      上側Ｖ形フレーム
２ａ    上側Ｖ形フレームの湾曲ターン部
３      下側Ｖ形フレーム
３ａ    下側Ｖ形フレームの湾曲ターン部
４Ａ，４Ｂ    前側左右一対の支柱
５      後側１本の支柱
６      前フレーム
７ａ，７ｂ    前側左右一対の支柱の下端脚部
８      後側１本の支柱の下端脚部
９      上窄まり形のキャップ
１０    下広がり形のカップ
１１    コの字形のずれ止め用部材
１２    ずれ止め用突起
【図１】
0003620377.tif 000002
【図２】
0003620377.tif 000003
【図３】
0003620377.tif 000004
【図４】
0003620377.tif 000005
【図５】
0003620377.tif 000006
【図６】
0003620377.tif 000007
【図７】
0003620377.tif 000008
【図８】
0003620377.tif 000009